(57)【要約】      （修正有）【課題】構成が簡単で廉価なフラワースタンド用の補助脚を提供する。【解決手段】フラワースタンド２の脚部４１に装着され、脚部の長さを延長するための補助脚２０であって、フラワースタンドの脚部を接地端４１０側から挿入可能なように、内径がフラワースタンドの脚部の外径よりも大きな所定長さの筒体２１を有する。筒体には、軸方向に対して直交方向に筒体を横断する貫通孔２２が形成されている。貫通孔は、筒体の軸方向の一端側から軸方向中央部迄の間に、一定の間隔をあけて複数組形成されている。複数組の貫通孔の任意の一組に、筒体の内空間を横断するように挿通して固定する脚受部材２３が備えられている。【選択図】図７
0003228249.tif 000002
【実用新案登録請求の範囲】
【請求項１】
フラワースタンドの脚部に装着され、その脚部の長さを延長するための補助脚であって、
フラワースタンドの脚部を接地端側から挿入可能なように、内径がフラワースタンドの脚部の外径よりも大きな所定長さの筒体を有し、
前記筒体には、軸方向に対して直交方向に筒体を横断する貫通孔が形成されており、
前記貫通孔は、前記筒体の軸方向の一端側から軸方向中央部迄の間に、一定の間隔をあけて複数組形成されていて、
前記複数組の貫通孔の任意の一組に、前記筒体の内空間を横断するように挿通して固定する脚受部材が備えられている、フラワースタンド用の補助脚。
【請求項２】
前記脚受部材は、ボルト及びナットを含み、
前記ボルトは、ヘッド及びねじ軸を有し、前記ねじ軸の長さは、ねじ軸を一方の貫通孔に差し込んでヘッドが貫通孔に当接した状態で、ねじ軸は筒体の内空間を横断して先端が対向する他方の貫通孔から外側へ突出する長さにされ、
前記ナットは、対向する他方の貫通孔から突出するねじ軸先端に螺合されて、前記ボルトが貫通孔から抜けないように固定するものであり、
前記ボルト及びナットを含む前記脚受部材は、前記複数組の貫通孔のいずれか一組に選択的に固定することができる、請求項１に記載のフラワースタンド用の補助脚。
【請求項３】
フラワースタンドの脚部に装着され、その脚部の長さを延長するための補助脚であって、
フラワースタンドの脚部を接地端側から挿入可能なように、内径がフラワースタンドの脚部の外径よりも大きな所定長さの筒体を有し、
前記筒体には、軸方向に対して直交方向に筒体を横断する貫通孔が形成されており、
前記貫通孔は、前記筒体の軸方向に沿ってのびる少なくとも１組の長孔を含み、
前記貫通孔に挿入されて前記筒体の内空間を横断する脚受部材が備えられている、フラワースタンド用の補助脚。
【請求項４】
前記筒体には、使用時に設置面に接地される側の端部に、接地キャップが設けられている、請求項１〜３のいずれか一項に記載のフラワースタンド用の補助脚。
【請求項５】
前記フラワースタンドは、４本の支柱を有し、各支柱の接地側は、支柱の途中部から外方へ開脚した脚部となっており、
前記所定長さの筒体は、前記脚部の長さとほぼ同じ長さを有している、請求項１〜４のいずれか一項に記載のフラワースタンド用の補助脚。
【考案の詳細な説明】
【技術分野】
【０００１】
本考案は、フラワースタンドを傾斜面や段差のある設置面に安定して設置するための補助脚に関する。
【背景技術】
【０００２】
この種のフラワースタンドは、開店・開設の際や、冠婚葬祭等の際に、祝花・供花を飾るのに用いられる。
フラワースタンドが設置される場所は、平坦面に限られておらず、例えば傾斜面や段差部分に置かざるを得ない場合がある。一例として、開店店舗の店先は、雨水の侵入防止の為に傾斜面になっているのが一般的で、また、排水用の段差が設けられていることも多い。
【０００３】
フラワースタンドをそのような場所に設置すると、花桶や花篭が傾いてしまい不安定なだけでなく、触れたり風に吹かれたりして倒れてしまう危惧がある。
そこで、従来より、フラワースタンドを傾斜面等に設置した場合、低い方の地面に置かれる脚の下に、板などを咬して、脚の接地端を高くする等の対応が取られることがあったが、係る一時的な対応では、傾斜面の傾斜具合によっては不十分であり、また、咬した板が外れることも少なくない。
【０００４】
係る課題を解決するための先行技術としては、特許文献１、特許文献２又は特許文献３に開示されたフラワースタンドがある。
特許文献１及び２に開示されたフラワースタンドは、フラワースタンドの支柱の下端部である脚を基台に取り付け、基台を水平に設置できるようにしたものである。
特許文献３に開示されたフラワースタンドは、フラワースタンドを構成する３本の支柱（足）のうちの１本を、伸縮可能な足としたものである。
【先行技術文献】
【特許文献】
【０００５】
【特許文献１】特開２０１８−８９１９７号公報
【特許文献２】特開２０１８−１７１１２７号公報
【特許文献３】実願昭６０−１９２７９９号（実開昭６２−１０００７０号）のマイクロフィルム
【考案の概要】
【考案が解決しようとする課題】
【０００６】
特許文献１及び２に開示されたフラワースタンドは、フラワースタンドの安定した立脚姿勢を維持できるとしても、基台という大きな台板が必要であり、支柱の下端を基台に固定しなければならず、かつ、基台を水平に保つための４本の螺合ピンを基台に設けなければならない。そのため、フラワースタンド全体の構成の煩雑化、大型化を招くという課題がある。
【０００７】
特許文献３に開示されたフラワースタンドは、３本の足のうちの１本を伸縮可能な足としなければならず、足の構成が複雑で高価なものになる。
本考案の目的は、上記先行技術が有している課題を解決し、構成が簡単で廉価な補助脚を提供するものである。
【課題を解決するための手段】
【０００８】
本考案に係るフラワースタンド用の補助脚は、フラワースタンドの脚部に装着され、その脚部の長さを延長するための補助脚であって、フラワースタンドの脚部を接地端側から挿入可能なように、内径がフラワースタンドの脚部の外径よりも大きな所定長さの筒体を有し、前記筒体には、軸方向に対して直交方向に筒体を横断する貫通孔が形成されており、前記貫通孔は、前記筒体の軸方向の一端側から軸方向中央部迄の間に、一定の間隔をあけて複数組形成されていて、前記複数組の貫通孔の任意の一組に、前記筒体の内空間を横断するように挿通して固定する脚受部材が備えられている補助脚である。
【０００９】
また、本考案に係るフラワースタンド用の補助脚は、前記脚受部材は、ボルト及びナットを含み、前記ボルトは、ヘッド及びねじ軸を有し、前記ねじ軸の長さは、ねじ軸を一方の貫通孔に差し込んでヘッドが貫通孔に当接した状態で、ねじ軸は筒体の内空間を横断して先端が対向する他方の貫通孔から外側へ突出する長さにされ、前記ナットは、対向する他方の貫通孔から突出するねじ軸先端に螺合されて、前記ボルトが貫通孔から抜けないように固定するものであり、前記ボルト及びナットを含む前記脚受部材は、前記複数組の貫通孔のいずれか一組に選択的に固定することができる補助脚である。
【００１０】
また、本考案に係るフラワースタンド用の補助脚は、フラワースタンドの脚部に装着され、その脚部の長さを延長するための補助脚であって、フラワースタンドの脚部を接地端側から挿入可能なように、内径がフラワースタンドの脚部の外径よりも大きな所定長さの筒体を有し、前記筒体には、軸方向に対して直交方向に筒体を横断する貫通孔が形成されており、前記貫通孔は、前記筒体の軸方向に沿ってのびる少なくとも１組の長孔を含み、前記貫通孔に挿入されて前記筒体の内空間を横断する脚受部材が備えられている補助脚である。
【００１１】
さらに、本考案に係るフラワースタンド用の補助脚は、前記筒体には、使用時に設置面に接地される側の端部に、接地キャップが設けられている補助脚である。
また、本考案に係るフラワースタンド用の補助脚は、前記フラワースタンドは、４本の支柱を有し、各支柱の接地側は、支柱の途中部から外方へ開脚した脚部となっており、前記所定長さの筒体は、前記脚部の長さとほぼ同じ長さを有している補助脚である。
【考案の効果】
【００１２】
本考案に係る補助脚を用いることにより、既存のフラワースタンドを、設置現場において安定した立脚姿勢で設置できる。
【図面の簡単な説明】
【００１３】
【図１】図１は、スタンド花と呼ばれる祝花１の一例を示す図である。
【図２】図２は、フラワースタンド２の一例を示す斜視図である。
【図３】図３は、フラワースタンド２を傾斜面１１や段差のある設置面１３に設置する場合の課題を説明するための図である。
【図４】図４は、本考案の一実施形態に係る補助脚２０を示す斜視図である。
【図５】図５は、補助脚２０の縦断面図である。
【図６】図６は、接地キャップ２４の変形例を示す図である。
【図７】図７は、補助脚２０を用いてフラワースタンド２を立脚させた状態の図解的な部分拡大図である。
【図８】図８は、本考案の他の実施形態に係る補助脚３０の構成を示す図で、（Ａ）は斜視図、（Ｂ）は縦断面図である。
【図９】図９は、本考案のさらに他の実施形態に係る補助脚３５の縦断面図である。
【考案を実施するための形態】
【００１４】
以下では、図面を参照して、本考案の実施形態について具体的に説明をする。
図１は、いわゆるスタンド花と呼ばれる祝花１の一例を示す図である。祝花１は、例えば店舗の開店の際に届けられ、店舗の店先等に設置される。祝花１は、フラワースタンド２と、フラワースタンド２の例えば上部に保持されて花器に飾られた多種の花々３とを含んでいる。
【００１５】
図２は、フラワースタンド２の一例を示す斜視図である。フラワースタンド２は、４本の支柱４ａ，４ｂ，４ｃ，４ｄを備えている。支柱４ａ及び支柱４ｃは、その上部及び下部が、それぞれ、上連結アーム５及び下連結アーム６で連結されて、所定の幅で平行に繋がった第１の支柱対を構成している。また、支柱４ｂ及び支柱４ｄも、その上部及び下部が、それぞれ、上連結アーム７及び下連結アーム８で連結されて、所定の幅で平行に繋がった第２の支柱対を構成している。
【００１６】
そして、上連結アーム５，７の各中央部が上下に重ねられ、また、下連結アーム６，８の各中央部が上下に重ねられて、それぞれ、ピン９，１０で連結されている。よって、第１の支柱対（支柱４ａ，４ｃ）と第２の支柱対（支柱４ｂ，４ｄ）は、図２に示すように４本の支柱４ａ〜４ｄが互いにほぼ等間隔に離れて立脚する使用状態とすることができる。
【００１７】
そして、フラワースタンド２は、使用状態では、上連結アーム５，７の上に花器１５を乗せて保持することができる。また、下連結アーム６，８の上にも花器（図示せず）を乗せて保持することができる。
また、フラワースタンド２は、花器に飾られた花々３を保持しない非使用時、つまり収納時や運搬時等には、支柱４ａ及び支柱４ｂが重なり、支柱４ｃ及び支柱４ｄが重なるように、第１の支柱対及び第２の支柱対を折り畳める構成であってもよい。
【００１８】
フラワースタンド２の各支柱４ａ，４ｂ，４ｃ，４ｄには、接地側（下側）に脚部４１ａ，４１ｂ，４１ｃ，４１ｄが形成されている。
以下では、各支柱及びその脚部は同じ構成であるから、参照符号ａ〜ｄを除いて、総称で説明する。脚部４１は、支柱４の途中部、より具体的には下連結アーム６又は８が取り付けられた位置のわずかに下方部から外方へ曲げられていて、外方へ向かって斜め直線状に開脚している。支柱４に外方へ開脚した脚部４１を形成することにより、フラワースタンド２の４本の支柱４で囲まれる接地面の面積を広げ、立脚を安定させることができる。
【００１９】
フラワースタンド２の寸法の概要は、支柱４（脚部４を含む）の長さ（高さ）は６０〜１１０ｃｍ程度、脚部４１の長さは、２０〜２５ｃｍ程度であってもよい。
図３は、フラワースタンド２を、傾斜面１１や段差１２のある設置面１３（１３Ｕ，１３Ｄ）に設置する場合の課題を説明するための図である。
フラワースタンド２を傾斜面１１に設置する場合、フラワースタンド２を垂直に立脚しようとすると、傾斜面の低い側に配置する脚部４１（例えば４１ｃ，４１ｄ）の接地端４１０は傾斜面１１に接さず、例えばΔＨの隙間が生じる。
【００２０】
同様に、フラワースタンド２を段差１２のある設置面１３に垂直になるように設置する場合も、低い設置面１３Ｄに配置する脚部４１（例えば４１ｃ，４１ｄ）の接地端４１０は、接地面１３Ｄに接さず、例えばΔＨの隙間が生じる。
従来は、傾斜面１１又は設置面１３Ｄと脚部４１の接地端４１０との間に折り重ねた段ボールや板切れを咬ます等の応急対応により上記の隙間ΔＨを埋めることもあったが、フラワースタンド２を安定して立脚させる為には、全く不十分であった。
【００２１】
図４は、本考案の一実施形態に係るフラワースタンド用の補助脚２０を示す斜視図であり、図５は、図４の線Ｖ−Ｖに沿った補助脚２０の縦断面図である。
図４及び図５を参照して、補助脚２０は、筒体２１を有する。筒体２１は、硬質材で形成されたパイプ状の筒であり、金属、合成樹脂、木などその材質は何であってもよい。また、竹で作られた自然の筒であってもよい。
【００２２】
本実施形態では、筒体２１は塩化ビニル樹脂で形成されており、一例として、内径φｉが２０ｍｍ、外径φ０が２５ｍｍ、長さＬが２５０ｍｍのパイプが使われている。
筒体２１は、図５に示すように、フラワースタンド２の脚部４１を、接地端４１０側から挿入可能で、挿入時に径方向に大きな隙間がなく、ガタつき難い程度の内径φｉであればよい。
【００２３】
筒体２１には、軸方向に対して直交する方向に、筒体２１の中心を横断するように径方向に延びる貫通孔２２が形成されている。貫通孔２２は、筒体２１を横断方向に見て、周壁の所定の角度位置に空けられた第１の小孔２２１と、前記所定の角度位置と１８０°隔たる角度位置の周壁に空けられた第２の小孔２２２との２つの小孔２２１，２２２を組とする貫通孔が形成されている。本実施形態では、貫通孔２２は、筒体２１の一端２１１側から、筒体２１の軸方向に、一定の間隔をあけて、複数（組）、一例として６つ、形成されたものを示している。貫通孔２２は、筒体２１の一端２１１側から、筒体２１の軸方向中央部迄の間に形成されている。本実施形態では、筒体２１の軸方向中央部から筒体２１の他端２１２迄の間には、貫通孔２２は形成されていない構成を示すが、筒体２１の一端２１１から他端２１２迄、筒体２１の軸方向全体にわたって貫通孔２２が形成されていてもよい。
【００２４】
補助脚２０は、筒体２１の複数（組）の貫通孔２２の任意の一組に挿通して固定される脚受部材２３を有する。脚受部材２３は、例えば、蝶頭ボルト２３１及び蝶ナット２３２を含むものでもよい。補助脚２０を使用する時に、フラワースタンド２を設置する設置面の状況により、適切な貫通孔２２を選んで脚受部材２３を固定する。脚受部材２３が蝶頭ボルト２３１及び蝶ナット２３２を含む場合、ドライバー等の道具を用いることなく、脚受部材２３を適切な貫通孔２２に手回しによって固定することができる。
【００２５】
なお、脚受部材２３は、各種のボルト及びナットにより構成してもよく、要は、補助脚２０を使用する際に、筒体２１に形成された複数（組）の貫通孔２２の任意の一組に挿通して固定できるものであればよい。
本実施形態に係る補助脚２０は、さらに、接地キャップ２４を有している。接地キャップ２４は、筒体２１の一端２１１に嵌められる滑り止め部材である。接地キャップ２４は、ゴムや軟質樹脂等で形成されており、補助脚２０をより安定して設置するための部材である。
【００２６】
本実施形態に係る接地キャップ２４は、図５に示すように、筒体２１の一端２１１に外嵌される円環筒部２４１と、円環筒部２４１の先端を塞いでいる肉厚の接底部２４２を有している。
また、接地キャップ２４は、図６に示すように、筒体２１の一端２１１に内嵌される嵌入部２４３と、嵌入部２４３の先端に一体的に設けられた接底部２４４とを有するものでもよい。
【００２７】
本考案に係る補助脚２０において、筒体２１の一端２１１に嵌められた接地キャップ２４は、筒体２１の一端２１１から取り外し、筒体２１の他端２１２に嵌められるものでもよい。その場合、筒体２１の一端２１１を接地端として使用でき、逆に、筒体２２の他端２１２を接地端として使用することもできる。
また、本考案に係る補助脚２０は、接地キャップ２４を有さない構成とし、筒体２１の一端２１１又は他端２１２が直接接地されるものであってもよい。
【００２８】
補助脚２０において、筒体２１の他端２１２側から支柱４の脚部４１を挿入し、一端２１１を接地端とするか、筒体２１の一端２１１側から支柱４の脚部４１を挿入し、他端２１２を接地端とするかにより、支柱４の脚部４１の延長長さの選択肢が増える。
図７は、フラワースタンド２を段差１２のある設置面１３（１３Ｕ，１３Ｄ）に設置し、補助脚２０を用いて段差１２を吸収してフラワースタンド２を立脚している状態を示す図解的な部分拡大図である。
【００２９】
筒体２１において、設置面１３の段差１２を最も良好に吸収することのできる貫通孔２２を選択し、選択した貫通孔２２に脚受部材２３を固定する。そして、脚受部材２３が特定の貫通孔２２に固定された筒体２１に対し、接地される端部と反対側の端部（例えば、筒体２１の一端２１１が接地される端部の場合は、筒体２１の他端２１２）から、低い設置面１３Ｄに設置されるフラワースタンド２の脚部４１（４１ｃ，４１ｄ）をその接地端４１０側から挿入し、接地端４１０を脚受部材２３に突き当てる。これにより、低い設置面１３Ｄに設置されるフラワースタンド２の脚部４１（４１ｃ，４１ｄ）は、脚部４１の長さが補助脚２０によって延長される。その結果、フラワースタンド２は、相対的に高い設置面１３Ｕに配置された脚部４１（４１ａ，４１ｂ）と、相対的に低い設置面１３Ｄに配置され、補助脚２０によって脚長が延ばされた脚部４１（４１ｃ，４１ｄ）とによって、ほぼ垂直状態を保って安定した立脚状態となる。
【００３０】
補助脚２０の筒体２１の一端２１１（又は他端２１２）は、筒体２１の長さ方向（中心軸方向）に直交方向にカットされていてもよいし、図７に示すように、設置面１３Ｄとの接地部分を拡げるように、長さ方向（中心軸方向）に対して斜め方向（より具体的には、脚部４１の外方へ開脚した角度と等しい斜め角度）にカットされていてもよい。
図８は、本考案の他の実施形態に係る補助脚３０の構成を示す図であり、（Ａ）は、補助脚３０の斜視図、（Ｂ）は図８（Ａ）の線Ｂ−Ｂに沿う縦断面図である。
【００３１】
図８に示す補助脚３０の特徴は、筒体２１に形成された貫通孔３２が、筒体２１の軸方向に延びる長孔になっていることであるが、貫通孔３２は、筒体２１を横断方向に見て、周壁の所定の角度位置に空けられた第１の長孔３２１と、前記所定の角度位置と１８０°隔たる角度位置の周壁に空けられた第２の長孔３２２とを含んでいる。貫通孔３２は、例えば筒体２１の一端２１１から一定長さ軸方向に入った位置を起点にして、直線状に筒体２１の軸方向中央まで延びる長孔であってもよい。筒体２１に形成する貫通孔３２をこのような長孔とすることにより、貫通孔３２に挿通して固定する脚受部材２３としての例えばボルト・ナットの固定位置を、筒体２１の軸方向に自在に調整できる。それにより、補助脚３０より延長するフラワースタンド２の脚部４１の長さを自在に調整できる。
【００３２】
図９は、本考案のさらに他の実施形態に係る補助脚３５の縦断面図である。補助脚３５は、筒体２１に形成される貫通孔３３，３４を有する。筒体２１に形成する長孔（貫通孔）は、周方向に形成する角度位置を変えて、複数組の貫通孔３３及び貫通孔３４を形成してもよい。この場合、貫通孔３３，３４の長さが筒体２１の軸方向に長くなりすぎず、筒体２１の強度を保つ上で有利である。
【００３３】
また、貫通孔３３，３４には、ボルト・ナットの脚受部材２３ではなく、コ字状の金属板で形成された脚受部材２３０が装着される構成としてもよい。なお、コ字状の脚受部材２３０は、その幅Ｗが異なる複数の脚受部材２３０を準備してもよいし、脚受部材２３０を複数枚積み重ねるようにして、貫通孔３３，３４に装着できるものでもよい。
本考案に係る補助脚は、以上説明した実施形態に限定されるものではなく、実用新案登録請求の範囲に記載の範囲内において種々の変更が可能である。
【００３４】
例えば、筒体は、前述の実施形態では、円筒形状として説明したが、角筒形状や多角筒形状であってもよい。また、筒体の色をフラワースタンド２の支柱４（脚部４１）の色に合わせた白色や黒色としてもよい。
【符号の説明】
【００３５】
１    祝花
２    フラワースタンド
３    花々
４、４ａ、４ｂ、４ｃ、４ｄ    支柱
５、７    上連結アーム
６、８    下連結アーム
９、１０    ピン
１１    傾斜面
１２    段差
１３、１３Ｕ、１３Ｄ    設置面
２０、３０    補助脚
２１    筒体
２２、３２、３３、３４    貫通孔
２３、２３０    脚受部材
２４    接地キャップ
４１、４１ａ、４１ｂ、４１ｃ、４１ｄ    脚部
２１１    一端
２１２    他端
２２１    第１の小孔
２２２    第２の小孔
２３１    蝶頭ボルト
２３２    蝶ナット
２４１    円環筒部
２４２、２４４    接底部
２４３    嵌入部
３２１    第１の長孔
３２２    第２の長孔
４１０    接地端
【図１】
0003228249.tif 000003
【図２】
0003228249.tif 000004
【図３】
0003228249.tif 000005
【図４】
0003228249.tif 000006
【図５】
0003228249.tif 000007
【図６】
0003228249.tif 000008
【図７】
0003228249.tif 000009
【図８】
0003228249.tif 000010
【図９】
0003228249.tif 000011